Podtech/llm-jp-corpus-v4-ja_patent huggingface dataset:
(57)【要約】【課題】本考案は、足首丈迄ある綿素材靴下の甲の部分を切断排除することにより、パンツルックで甲の見える靴でも、センス良く履く事が可能となる。【解決手段】本考案は、１の靴下本体から２の布を、ロックミシンでかがり切り排除することによって、パンツルックで足の甲の見える靴を履いても、表に見えにくく、しかも汗を強力に吸収し、保温性がある為、冷えからも守ってくれる。【選択図】  図２
0003112115.tif 000002
【実用新案登録請求の範囲】
【請求項１】
足首丈迄ある綿素材靴下の甲にあたる部分の布を切断、排除し、形状を変える事により、パンツルックで足の甲が見える靴を履いた時でも、靴下が外に見えにくく、綿素材の布が足首丈まである為、保温性があり、汗の吸収も高いとしたところを特徴とする靴下。
【考案の詳細な説明】
【技術分野】
【０００１】  本考案は、パンツルックで足の甲が見える靴を履く時でも、汗をがっちり吸収し、冷えから足を守る足首丈迄ある綿素材の靴下を、センス良く履けるという、女性の体を考えた靴下に関する物である。
【背景技術】
【０００２】  パンツルックで、足の甲が見える靴を履く時、ファッション性を重視し、透ける靴下や、靴に合った同系色等の靴下、又は靴からはみ出さない足先まわりだけの靴下を履いていた。
【考案の開示】
【考案が解決しようとする課題】
【０００３】  透ける靴下や足先まわりだけの靴下は、布が薄く、汗の吸収も悪い。その為水虫にも成り易く、汗からくる悪臭も発生する。又、それに伴い靴の傷みも早くなる。更に、足元の冷えもあり、女性にとっては負担が大きい。吸収性、保温性に優れた、足首丈迄ある綿素材の靴下を履ける様にする事により、前述の欠点を解決するものである。
【課題を解決するための手段】
【０００４】  本考案は、パンツルックで足の甲が見える靴の中に、足首丈迄ある靴下を履き、表に見えている布を切り取る事により、これまで湿気や冷えを解消する為、履きたかった足首丈まである綿素材の靴下も、センス良く履ける事が出来、女性が悩んでいた問題を解決している。
【考案の効果】
【０００５】  上述の様に、本考案は、紐靴やブーツにも履けることは勿論、靴下の甲に穴を空ける事により、これまでファッション性が欠ける為、敬遠されてきた足首丈迄ある綿素材の靴下を、センス良く履く事が可能となり、湿気や冷えで悩む必要が無くなる。実際に本考案の靴下を作成し、履き比べたところ、汗が出にくく、足元から来る冷えも抑えられ、快適、且つ安心感が得られた。
【考案の実施するための最良の形態】
【０００６】  綿素材靴下の甲の部分に穴を空ける際、切断部分に厚みが出ない様に、ロックミシンで端をかがりながら切断する。又、本考案の靴下は、布を足首迄引っ張り固定させる為、爪先の布の分量を小さくしてもずれることなく、ドッレシーな靴様にも作成可能である。つまり、靴のタイプに合わせて、爪先、脇の布の分量も変え作成が可能である。更に冬季様にハイソックスにも同技術が可能である。
【実施例】
【０００７】以下、添付図面に従って一実施例を説明する。１は靴下本体、２は切断し取り除く布の部分。
【産業の利用可能性】
【０００８】靴下業界においては、本考案が全く新しいデザインであるのにも関わらず、加工方法は至って簡単で、しかもローコストで完成する。又、在庫で市場に出にくくなった商品も、本考案により再生する事によって、新製品として販売することが出来、利益向上にも役立つ。更に、本考案をキャラクター柄や色や素材を多種作る事によって、使用する年齢層も広がる。又、本考案は、健康面、衛生面でも効果がある為、薬局薬店でも販売可能である。
【図面の簡単な説明】
【０００９】
【図１】本考案の靴下の実施例を正面から見た図である。
【図２】本靴下の甲の部分を切断した、横から見た図である。
【符号の説明】
【００１０】１  靴下本体
２  切断排除する布
【図１】
0003112115.tif 000003
【図２】
0003112115.tif 000004
(57)【要約】【課題】    本考案は水の中に含まれるマグネシウムやカルシュウムなどの硬度物質を吸着することができるイオン交換樹脂を、水を通すことができる袋状のネットに密封したもので、これを洗濯機の洗濯層に投入するだけで、水を軟水化でき、家庭で石鹸を使用する際、特に黒や紺などの濃い色物の衣類に目立つ石鹸カスの発生を押さえることが出来る。【解決手段】    本考案は１通水性を有するメッシュ状の繊維素材で、２上蓋は二重になったメッシュ状繊維の間に３浮き体を挿入し、４ファスナーにより出し入れすることができる開口部を有する保護ネットの収容部に、５イオン交換樹脂を密封した６袋状ネットを形成する。【選択図】    図１
0003112118.tif 000002
【実用新案登録請求の範囲】
【請求項１】
洗濯の際、水道水などに含まれるマグネシウムやカルシュウムなどの硬度物質を吸着することで石鹸と結合してできる石鹸カスの発生を押さえることを特徴とするイオン交換樹脂を、水を通すことができる袋状のネットに密封した洗濯用水質改善用具。
【考案の詳細な説明】
【技術分野】
【０００１】  本考案は、家庭での洗濯の際に水道水の中に含まれるマグネシウムやカルシュウムなどの硬度物質を吸着することができるイオン交換樹脂を、水を通すことができる袋状のネットに密封した洗濯用水質改善用具に関するものである。
【背景技術】
【０００２】  従来、脂肪酸ナトリウムを含む粉石鹸や脂肪酸カリウムを含む液体石鹸を使用して洗濯をすると、水に溶けた石鹸と水の中の硬度物質が結合して石鹸カスをつくり、特に黒や紺などの濃い色の衣類で顕著になるが、この石鹸カスが衣類にも付着して、せっかく洗濯した衣類を再汚染するという問題があった。
【考案の開示】
【考案が解決しようとする課題】
【０００３】  上記のように従来の技術では、洗濯に脂肪酸ナトリウムを含む粉石鹸や脂肪酸カリウムを含む液体石鹸を使用する場合、溶けた石鹸と水の中に含まれるマグネシウムやカルシュウムなどの硬度物質が結合して石鹸カスになり、石鹸の洗浄力を低下させるばかりでなく、石鹸カスが衣類にも付着して、特に黒や紺など濃い色の衣類では付着した石鹸カスが白く目立つため、洗濯後さらに水だけで洗い直すなどの手間が必要であった。本考案は水の中の硬度物質をイオン交換樹脂によって吸着させることで、石鹸カス発生の原因物質を取り除き、石鹸カスの発生を押さえたり、石鹸の洗浄力を向上させたりするなどの効果がある水質改善用具を提供することを目的としている。
【課題を解決するための手段】
【０００４】  本考案は、通水性がありイオン交換樹脂が漏れない目の細かい袋状のネット本体に、イオン交換樹脂を密封したもので、これを洗濯機の洗濯層に投入したのち、給水するだけで、水道水に含まれる硬度物質を吸着し、家庭で石鹸を使用する際、特に黒や紺などの濃い色物の衣類に目立つ石鹸カスの発生を押さえることが出来る。
【考案の効果】
【０００５】  上述の様に、本考案の洗濯用水質改善用具は直接洗濯機の洗濯層に入れることにより、水の中に含まれる硬度物質をイオン交換樹脂により取り除き、水を軟水化し、洗濯中に発生する石鹸カスの発生を押さえるものとして役立つ。
【考案を実施するための最良の形態】
【０００６】  表面が通水性を有するメッシュ状のネットにより形成される保護ネットの収容部に、イオン交換樹脂を密封して構成される袋状ネットを形成する。
【実施例】
【０００７】  以下、添付図面１に従って一実施例を説明する。１は通水性を有するメッシュ状の繊維素材で、２上蓋は二重になったメッシュ状繊維の間に３浮き体を挿入し、４ファスナーにより出し入れすることができる開口部を有する保護ネットの収容部に、５イオン交換樹脂を密封した６袋状ネットを収納する。【０００８】  本考案の一実施例は上述の如き構成からなるものであるから、これを洗濯機の洗濯層に投入するだけで、水の中のマグネシウムやカルシュウムなどの硬度物質を吸着することで水を軟水化でき、粉石鹸や液体石鹸を洗濯に使用する際、特に黒や紺などの濃い色物の衣類に目立つ石鹸カスの発生を押さえることが出来きる。
【図面の簡単な説明】
【０００９】
【図１】本考案の洗濯用水質改善用具の一実施例を示す斜視図である。
【符号の説明】
【００１０】１  メッシュ状の繊維素材
２  上蓋
３  浮き体
４  ファスナー
５  イオン交換樹脂
６  袋状ネット
【図１】
0003112118.tif 000003
(57)【要約】【課題】外気が低温の冬季、マスク使用時の呼気の漏れによるメガネの曇りを防止する。【解決手段】マスク上端の鼻部との接着部分に粘着テープを取り付けて、皮膚に密着させて鼻翼部から顔面上部に漏れる呼気を塞ぐ。【選択図】図１
0003112111.tif 000002
【実用新案登録請求の範囲】
【請求項１】
マスク１の上端部に鼻翼部の隙間からの呼気の漏れを防ぐ粘着テープ２を取り付けた、メガネ使用者用のマスク。
【考案の詳細な説明】
【本考案が解決しようとする課題】
【０００１】メガネ使用者がマスクを使用した場合、鼻翼隙間から顔面上部に漏れる自らの呼気により、メガネのレンズが曇るという難点があつた。
特に外気が低温の冬季には、その傾向が著しい。
従来この上部に漏れる呼気を少なくするために、マスクの鼻部に接する部分に軟性の針金を入れ、マスクを掛けた後に曲形を作り鼻形に沿わせる，というマスクは存在したが、鼻翼の隙間を完全に塞ぐ事は出来ず、従つてメガネの曇りを防ぐことはできない。
【この問題を解決するための手段】
【０００２】この問題を解決するため、マスクの鼻部接着部分に粘着テープを取り付けて鼻翼からの呼気の漏れを塞ごうというものである。
【考案の効果】
【０００３】このメガネ使用者用マスクは、マスク上部の鼻部接着部分に粘着テープを取り付けて、マスク着用後に、軽くその部分を押さえて鼻翼部皮膚に密着させることにより、ほぼ完全に上部に漏れる呼気を遮断することが出来、メガネの曇りを防ぐ事が出来る。
【考案を実施するための最良形態】
【０００４】（イ）粘着部は幅は約１センチ長さ７−８センチのテープ状とし、鼻部が接するマスク上端部に設ける。
（ロ）粘着部には、カバーを付け，使用前に、はがすものとする。
【図面の簡単な説明】
【０００５】
【図１】本考案のマスクの使用状態を示す正面図である。
【図２】本考案のマスクの内面図である。
【符号の説明】
【０００６】１  マスク本体
２  粘着テープ部
３  耳掛け紐
【図１】
0003112111.tif 000003
【図２】
0003112111.tif 000004
(57)【要約】      （修正有）【課題】風により表示面が靡いてしまい視認性が極端に低下することを防止する。【解決手段】風を受けることとなる標示部分を網目状２にし、下部に錘３を付加することにより靡きを最小限におさえて視認性の変化を少なくする。これにより、常に安定した視認性が確保できる。【選択図】図１
0003112112.tif 000002
【実用新案登録請求の範囲】
【請求項１】
風等により靡いて視認不能になることを防止するため、網目状の素材を使用し下部に錘を取り付けた旗状の形態を有する目印。
【考案の詳細な説明】
【技術分野】
【０００１】本考案は、網目状の素材を使用し下部に錘を取り付けることにより、風等により靡いて視認不能になることを防止することを目的とした、旗状の形態を有する目印である。
【背景技術】
【０００２】従来の旗では、風等の影響で靡いてしまい視認できなくなることが多くあったので、使用素材の網目化と錘を付加することにより靡きを最小限にして視認性を向上せようとしたものである。
【考案の開示】
【考案が解決しようとする課題】
【０００３】従来使用されていた旗の場合、風を受けて靡きやすかったために少しの風でも視認性が極端に悪くなるという問題があったが、本考案を利用すれば問題点が解消でき、風のある時でも視認性に大きな変化が生じず安定した視認性が確保できる。
【考案の効果】
【０００４】風による靡きが少なく視認性の変化が少ないため横断歩行者の誘導時、交通整理時などの他の車両などに対する合図としての使用、施設設備や店舗の目印としての利用等に効果的である。
【考案を実施するための最良の形態】
【０００５】風雨にかかわらず行っている学童の登下校時や道路工事時の誘導用目印、屋外の展示物の目印、施設店舗の目印等へ利用することにより、より確実に認知させることが可能である。
【実施例】
【０００６】風吹きを従来のように気にすることなく、確実に合図として表示面を掲示しやすくなるため、スムーズな誘導、交通安全に寄与することができる【０００７】標示面に、「学童横断中」「止まれ」「受付はこちら」「御一行様」「会社名」「店舗名」などを付加することにより、目的をより強調できる。【０００８】反射素材、蓄光素材、発光部分などとの併用により、さらなる視認性の向上が期待できる。
【産業上の利用可能性】
【図面の簡単な説明】
【０００９】
【図１】当該考案の主要な構成図である。  各部分の大きさは便宜上任意に拡大縮小してある。
【符号の説明】
【００１０】  １  支持棒部
２  網目面部
３  錘部
【図１】
0003112112.tif 000003
(57)【要約】【課題】  ひな人形飾りの美観向上等に有利なひな節句用飾り具としての紅梅・白梅を提供する。【解決手段】  ひな節句用飾り具としての紅梅・白梅であって、この紅梅・白梅は、正四角形状に裁断される縮緬布の折り加工により作られる五枚の花弁を一輪の梅花形象体となるように構成されて、厚紙製花型形状の台盤上に接着固定され、前記梅花形象体の中心部位および前記台盤の中心部位に花芯が挿着されることを特徴とするひな節句用飾り具としての紅梅・白梅。【選択図】  図２
0003112119.tif 000002
【実用新案登録請求の範囲】
【請求項１】
ひな節句用飾り具としての紅梅・白梅であって、この紅梅・白梅は、正四角形状に裁断される縮緬布の折り加工により作られる五枚の花弁を一輪の梅花形象体となるように構成されて、厚紙製花型形状の台盤上に接着固定され、前記梅花形象体の中心部位および前記台盤の中心部位に花芯が挿着されることを特徴とするひな節句用飾り具としての紅梅・白梅。
【請求項２】
前記台盤の中心には、前記花芯の挿通穴が開けられていることを特徴とする請求項１記載のひな節句用飾り具としての紅梅・白梅。
【請求項３】
前記花芯は針金と、この針金の先端に固着される丸頭部と、この針金の外周に巻装される緑色テープと、により構成されることを特徴とする請求項１記載のひな節句用飾り具としての紅梅・白梅。
【考案の詳細な説明】
【技術の分野】
【０００１】  本考案は、ひな節句用飾り具としての紅梅・白梅に関するものである。
【背景技術】
【０００２】  女児の健康と将来の幸福を願って飾られる三月節句のひな飾りセットには、ひな人形と共に紅梅・白梅を模した飾り具（雛道具の一種）が飾り付けられる。
【考案の開示】
【０００３】  然し、前記した飾り具としての紅梅・白梅の花弁は専ら、ナイロン製布地等を梅花型に切抜くことで簡単に作ることができる反面、看者に対してペラペラ感の花弁を感得させたり、或いは新鮮味、高級感に乏しく、しかも見飽きた感を印象付けたりする花弁となってしまう等の嫌いがある。
【０００４】  本考案は斯る問題点に鑑み、創案されたひな節句用飾り具としての紅梅・白梅であって、その目的とするところは、前記従来例のものに比し斬新、華美に仕立てられ、ひな人形飾りセットに飾り付けることで、ひな人形が着装している縮緬布製衣裳との調和（色合い、風合い等）を図ることができると共に、ひな飾りセット全体の装飾効果を一段と向上させることができるひな節句用飾り具としての紅梅・白梅を提供するものである。
【考案が解決するための手段】
【０００５】  本考案は、ひな節句用飾り具としての紅梅・白梅であって、この紅梅・白梅は、正四角形状に裁断される縮緬布の折り加工により作られる五枚の花弁を一輪の梅花形象体となるように構成されて厚紙製花型形状の台盤上に接着固定され、前記梅花形象体の中心部位および前記台盤の中心部位に花芯が挿着して構成されることを特徴とするひな節句用飾り具としての紅梅・白梅である（請求項１）。
【０００６】  前記台盤の中心部位には、前記花芯の挿通穴が開けられていることを特徴とする（請求項２）。
【０００７】  前記花芯は針金と、この針金の先端に固着される丸頭部と、この針金の外周に巻装される緑色テープと、により構成されることを特徴とする（請求項３）。
【考案の効果】
【０００８】  本考案は、請求項１ないし請求項３記載の解決手段で実施され、以下に記載されるような効果を奏する。
【０００９】  本考案は、ひな節句時の飾り具としての紅梅・白梅が縮緬布の折り加工によって作られる。そのため、段落番号
【０００３】において記載しているような従来例の問題点を解消することができる。
また、従来、ひな人形の衣裳素材に縮緬布を使用したものが存在しているが、ひな節句の飾り具としての紅梅・白梅を縮緬布を使用して構成するものは皆無であった。
従って、ひな人形の着装している衣裳が縮緬布であって、ひな人形用飾り具として機能する紅梅・白梅が、本考案のように縮緬布製である場合は、等しく使用素材が共通することになり、そのため、ひな人形と紅梅・白梅との調和（風合い、色合い等）が図られ、そのひな飾りは一層、華美かつ高級感を醸し出すものになる。
また、紅梅・白梅自体は、その花弁が縮緬布の折り加工によって立体的に作られるため、看者に対して新たな美観、体裁を印象付けることができる。更に、本考案による飾り具は、ひな飾りの引立て役となってひな飾りを豪華に仕立てることができる。
【課題を実施するための最良の形態】
【００１０】  本考案の実施形態を図１ないし図５に基づき説明する。
【００１１】  図１は本考案の要部を構成する紅梅・白梅を使用した飾り具を示し、紅梅・白梅１は正四角形状に裁断される縮緬布の折り加工によって作られる五枚の花弁２を一輪の梅花形象体３となるように構成される（図２、図３参照）。
【００１２】  図面符号４は厚紙製花型形状の台盤を示し、この台盤４の上面に前記梅花形象体３が接着固定され、梅花形象体３は保形される。
図面符号５は、前記台盤４の中心部位に開けた花芯６の挿通穴を示している（図４参照）。
【００１３】  前記花芯６は針金７と、この針金７の先端に固着される丸頭部８と、この針金７の外周に巻装される緑色テープ９等により構成される（図５参照）。
【００１４】  そして、前記花芯６は、前記梅花形象体３および前記台盤４の中心部位に挿着される。飾り具１０は、下台１１と、下台１１上の中心より立設され、井垣１２に囲まれる梅幹形象体１３と、梅幹形象体１３より分岐する梅枝形象体１４と、により構成され、前記梅枝形象体１３に前記梅花形象体３と蕾１５が取着して、ひな節句用飾り具としての紅梅・白梅全体を構成するものである。
【００１５】  なお、本考案による紅梅・白梅の実施形態は、節句用桜橋にも実施適用できる。
【００１６】
0003112119.tif 000003
て有益である。
【図面の簡単な説明】
【図１】図１は、本考案の紅梅・白梅を使用したひな節句用飾り具の斜視図である。
【図２】図２は、本考案の要部を示す斜視図である。
【図３】図３は、本考案の要部を示す裏面図である。
【図４】図４は、厚紙製花型取付板の構成図である。
【図５】図５は、花芯の構成図である。
【符号の説明】
１      紅梅・白梅
２      花弁
３      梅花形象体
４      台盤
５      花芯の挿通穴
６      花芯
７      針金
８      花芯の丸頭部
９      緑色テープ
１０    飾り具
１５    蕾
【図１】
0003112119.tif 000004
【図２】
0003112119.tif 000005
【図３】
0003112119.tif 000006
【図４】
0003112119.tif 000007
【図５】
0003112119.tif 000008
(57)【要約】      （修正有）【課題】スロット遊技者や第三者に対し実際に得た出玉に見合う出玉感を十分に感じさせるため、スロットメダル収納箱の底面の形状を改善する。【解決手段】スロットメダルを収納するための上面が開放されたプラスチック製容器であって、内面底をドーム状に形成した。【選択図】図１
0003112108.tif 000002
【実用新案登録請求の範囲】
【請求項１】
底面がドーム状にもり上がっている形状であることを特徴とするメダル収納箱。
【請求項２】
底面の両端部が盛り上がっている形状であることを特徴とするメダル収納箱。
【考案の詳細な説明】
【考案の詳細の説明】
【技術分野】
【０００１】本考案は、パチンコホールにおいて。遊技者等がスロットメダルの運搬に使用する収納箱に関する。
【背景技術】
【０００２】従来のスロットメダル収納箱において、出玉感を出すために上げ底使用になっているものがある。たとえば、図３または図４に示すように外見から上げ底になっているのが見て分かる構造となっている。これらは、パチンコ玉、スロットメダルを収納するだけの機能を有している。
【考案の開示】
【考案が解決しようとする課題】
【０００４】しかし、従来のスロットメダル収納箱では、スロット遊技者や第三者に対し実際に得た出玉に見合う出玉感を十分に感じさせる事が出来なかった。そこで、スロットメダル収納箱の底面の形状を改善して、自分が得た出玉と出玉感は一致するように感じさせることにした。
【課題を解決するための手段】
【０００５】この目的のために、スロットメダル収納箱の底面をドーム状とする。
【考案の効果】
【０００６】スロット遊技者や第三者が、実際に得た出玉に見合う出玉感を、十分に感じさせることが出来る。
【考案を実施するための最良の形態】
【０００７】以下に本考案に係るスロットメダル収納箱の実施の形態を図面と共に説明する。
スロットメダル収納箱の底面部はドーム状とする。
【実施例】
【０００８】図４に示すように本考案に係わるスロットメダル収納箱１は、底面２をドーム状に形成したことによって、コインがメダル収納箱に入れられたときに中央部が盛り上がり、箱の上面からコインの先が突出すれば遊技者や第三者に実際に得た出玉に見合う出玉感を感じさせることが出来る。【０００９】なお、この実施例では内面をドーム状の上げ底２に形成したと例示したが、本考案はこれに限定されない。つまり、図１に示すように底面の両端部のみ盛り上がる形状で中央部は平坦でも良い。
【図面の簡単な説明】
【図１】本発明に係るスロットメダル収納箱の平面図である。
【図２】従来使用されているメダル収納箱の断面図である。
【図３】従来使用されているメダル収納箱の断面図である。
【図４】本考案に係るメダル収納箱の断面図。
【符号の説明】
１  スロットメダル収納箱
２  ドーム状の底面
３  従来のスロットメダル収納箱
４  従来のスロットメダル収納箱
５  メダル
【図１】
0003112108.tif 000003
【図２】
0003112108.tif 000004
【図３】
0003112108.tif 000005
【図４】
0003112108.tif 000006
(57)【要約】【課題】ゴミ袋は柔らかく薄い材質のためそれ自体で口縁を一定に開口固定保持できない。従って、多量の落ち葉等ゴミ掃除の際、ゴミをゴミ袋に直接箒等で掃き入れ困難のため、その作業は一旦掃き集めゴミ袋に移し入れる、また、その際その都度ゴミ袋口縁を開口し行なう等手間と労力負担のかかる非効率な作業となっており、本考案はそれを解決する。【解決手段】本考案の塵取り枠体１に、ゴミ袋口縁３ａ着脱用の切込み入りゴミ袋口縁着脱孔１ａを設け、この切込み入りゴミ袋口縁着脱孔１ａにゴミ袋口縁３ａを指等で挿し込み挟み込んで装着し、ゴミ袋口縁３ａを予め一定の開口状態に固定保持したことで課題を解決した。装着したゴミ袋口縁３ａは引き抜くことで外せるので、ゴミで一杯のゴミ袋はそのままゴミとして出せる。本考案は地面突き刺し部２ｂを地面に刺して上向きにして、持ち手２を外し吊るして、の利用も可能とした。【選択図】  図３
0003112104.tif 000002
【実用新案登録請求の範囲】
【請求項１】
塵取り枠体に設けた切込み入りゴミ袋口縁着脱孔に、ゴミ袋の口縁を挿し込み挟み込んで装着し、ゴミ袋口縁を一定の開口固定状態に保持できるようにしたことを特徴とする、ゴミ袋開口固定保持用塵取り枠体。
【請求項２】
地面突き刺し部を備えた持ち手を有する請求項１記載のゴミ袋開口固定保持用塵取り枠体。
【考案の詳細な説明】
【技術分野】
【０００１】  本考案は、ゴミ袋の口縁を予め一定に開口固定保持する塵取り枠体に関する。
【背景技術】
【０００２】  落ち葉等多量のゴミ掃除の際、ゴミ袋にそれらゴミを直接箒等で掃き入れることが困難のため、一旦箒で掃いて集めた後、自分の手で或は人手を借りゴミ袋口縁を開口保持しながら改めて塵取りや手でゴミ袋に移し入れるという、面倒で二度手間と労力負担が伴なう非効率な作業となっている。作業中に風が吹いた際ゴミは飛散し、その作業は更に非効率なものとなる。
【考案の開示】
【考案が解決しようとする課題】
【０００３】  この面倒で二度手間と労力負担が伴なう非効率な作業となる原因は、ゴミをゴミ袋に直接箒等で掃き入れることが困難であること、そして、それはゴミ袋が柔らかい薄手の材質でできているため、その口縁をそれ自体で一定に開いた状態のまま開口固定保持できないことに起因する。
【課題を解決するための手段】
【０００４】  そこで、ゴミ袋３のゴミ袋口縁３ａを予め一定に開口固定保持でき、且つそのゴミ袋３を必要に応じ簡単に着脱するための、切込み入りゴミ袋口縁着脱孔１ａを設けたゴミ袋開口固定保持用塵取り枠体（図１）を考案し課題を解決した。ゴミ袋口縁３ａの開口固定保持は、ゴミ袋口縁３ａを、本考案の塵取り枠体１の切込み入りゴミ袋口縁着脱孔１ａに、その塵取り枠体１の外側面から指等で挿し込み挟み込んで行なうことででき、また、塵取り枠体１にゴミ掬い上げ口縁１ｃを設けたことで、本考案はゴミ袋塵取り口枠として使用できる（図３）。持ち手２の地面突き刺し部２ｂを地面に刺し込むことで本考案を上向き状態にしての使用もでき（図４）、持ち手２を着脱可能とした（図２）ことで、それを取外し、市販のフック４を用い吊るしての使用もできる（図５）。ゴミ袋口縁３ａの取外しはそれを引き抜くだけでよい。
【考案の効果】
【０００５】  ゴミ袋の開口固定保持は、本考案の塵取り枠体に設けた切込み入りゴミ袋口縁着脱孔に、ゴミ袋口縁を指等で挿し込み挟み込むだけで容易く簡単にでき、また、塵取り枠体にはゴミ掬い上げ口縁を設けてあるので、ゴミ袋自体を、落ち葉や庭の手入れで抜き取った雑草等の多量のゴミを箒等で直接掃き入れられる容積の大きな塵取りとして活用することができる（図３）。従って、ゴミをゴミ袋に移し入れる面倒な二度手間もなく、その都度口縁を開きながらの取り込み作業の苦労も無く、人手を借りることもなく、従来の労力負担無しに効率よく楽に清掃作業ができるようになる。また、持ち手を地面に刺し込むことで本考案の塵取り枠体を上向きにし、ゴミを直接放り込みながらの雑草取り作業もできる（図４）。また、屋内外でのゴミ袋の活用拡大として、持ち手を外し市販のフックを取り付けることで、屋外でのレジャーや家庭でのゴミ分別用具等として使え（図５）、ゴミ袋の活用範囲も広がる。特に、ごみ袋の着脱交換が簡単にできることで、一杯になったゴミ袋は外してそのままゴミとして出せる効果は大である。
【考案を実施するための最良の形態】
【０００６】  本考案は、切込み入りゴミ袋口縁着脱孔１ａ、♂形持ち手連結部１ｂ、ゴミ掬い上げ口縁１ｃを設けた塵取り枠体１と♀形塵取り枠体連結部２ａ、地面突き刺し部２ｂ、掛け穴２ｃを設けた持ち手２から構成される。塵取り枠体１の枠の口周り寸法は、塵取り枠体１に設けた切込み入りゴミ袋口縁着脱孔１ａに、ゴミ袋口縁３ａを挿し込み挟み込み装着できる十分な弛み分が確保できる、ゴミ袋口縁３の口周りより小さい寸法とする。また、切込み入りゴミ袋口縁着脱孔１ａの肉厚はゴミ袋口縁３ａを挟み込み保持でき、且つ取外しが無理なくできる例えば文具の下敷き程度が望ましい。また、塵取り枠体１と持ち手２は、♂形持ち手連結部１ｂと♀形塵取り枠体連結部２ａを合せ垂直に挿入後、右９０度回転させ圧着固定で連結し、逆操作で外せるワンタッチ操作とした。なお、本考案の形成素材はポリプロピレンが望ましい。
【図面の簡単な説明】
【０００７】
【図１】  本考案の斜視図である。
【図２】  本考案の分解斜視図である。
【図３】  本考案をゴミ袋塵取り口枠としての使用状態を示す斜視図である。
【図４】  本考案を持ち手を地面に突き刺し上向きにしての使用状態を示す斜視図である。
【図５】  本考案を持ち手を外しフックで吊るしての使用状態を示す斜視図である。
【符号の説明】
【０００８】  １    塵取り枠体
１ａ  切込み入りゴミ袋口縁着脱孔
１ｂ  ♂形持ち手連結部
１ｃ  ゴミ掬い上げ口縁
２    持ち手
２ａ  ♀形塵取り枠体連結部
２ｂ  地面突き刺し部
２ｃ  掛け穴
３    ゴミ袋
３ａ  ゴミ袋口縁
４    フック
【図１】
0003112104.tif 000003
【図２】
0003112104.tif 000004
【図３】
0003112104.tif 000005
【図４】
0003112104.tif 000006
【図５】
0003112104.tif 000007
(57)【要約】      （修正有）【課題】ボールを自分の目標としている場所に正確に打ち出すことが出来るパターグリップを提供する。【解決手段】パターグリップを、より大きな太さと真円形にし、重くすることにより、左右の手の均等かつ一体感を持たせることが出来る。左右の手が均等かつ一体感を持っているので、緊張などによる手のゆるみを防止し、正確なパッティングが期待出来る。【選択図】図１
0003112103.tif 000002
【実用新案登録請求の範囲】
【請求項１】
ゴルフ用のパターにおいて、グリップの大きさを直径３ｃｍ〜４．４４５ｃｍの真円形に、長さを２３ｃｍ、うち１８ｃｍは同じ太さにし、先端の５ｃｍは円錐台形にすることによって、両手の親指の先をずらすことなくグリップ上で同じ位置に置き、同時に両手の指を互いにさしこむことが可能となることが特徴で、両手の保持、安定が著しく向上し、正確なパッティングが期待出来るものである。
【考案の詳細な説明】
【技術分野】
【０００１】  本考案は、ゴルフパターのグリップに関する。
【背景技術】
【０００２】  パターでボールを打つ時、安定、正確を増すためにパターのグリップは重要である。
【考案の開示】
【考案が解決しようとする課題】
【０００３】  パターによって、いかにボールを自分の目標としている場所に正確に打ち出すことが出来るか。
【課題を解決するための手段】
【０００４】  従来のパターグリップより、より大きな太さと真円形にすることにより、左右の手の均等かつ一体感を持たせることが出来る。
【考案の効果】
【０００５】  左右の手が均等かつ一体感を持っているので、緊張などによる手のゆるみを防止し、正確なパッティングが期待出来る。
【考案を実施するための最良の形態】
【０００６】  従来のグリップを大きくするだけでなく、重くする。
【図面の簡単な説明】
【０００７】
【図１】  この考案の一実施形態を示す、横から見た断面図である。
【図２】  この考案の一実施形態を示す、上から見た断面図である。
【符号の説明】
【０００８】    １  グリップ
２  シャフト
【図１】
0003112103.tif 000003
【図２】
0003112103.tif 000004
(57)【要約】【課題】  回収古紙類は必ず紙紐で結束できるようにした紙紐を接着して付けた紙紐を付けた梱包袋を提供する。【解決手段】  回収古紙類の各々の大きさのサイズに合わせて紙で作った梱包袋を形成し、その梱包袋に紙紐を接着して付けた紙紐を付けた梱包袋。【選択図】  図１
0003112184.tif 000002
【実用新案登録請求の範囲】
【請求項１】
回収古紙類の各々の大きさのサイズに合せて紙で作った梱包袋を形成し、その梱包袋に紙紐を接着して付けた紙紐を付けた梱包袋。
【請求項２】
梱包袋の底に紙紐を十字形状に付けた請求項１の紙紐を付けた梱包袋。
【請求項３】
紙紐を粘着紙テープで梱包袋に固定して付けた請求項１の紙紐を付けた梱包袋。
【請求項４】
紙紐を麻縄、又は、麻縄紐にした請求項１の紙紐を付けた梱包袋。
【考案の詳細な説明】
【技術分野】
【０００１】  この考案は、回収古紙類、例えば、古紙、古新聞、チラシ、古本、書類等を梱包する袋に、初めから結束する紙紐を接着して付けておき、回収後、業者がその紙紐を外さなくとも、そのまま処理できるようにした紙紐を付けた梱包袋に関するものである。
【背景技術】
【０００２】  従来、古新聞を回収するための梱包袋は、その新聞のサイズだけに合せて作られている。又、紙紐は付いていなかった。したがって、古新聞用の梱包袋には古新聞や、その梱包袋のサイズに合う回収古紙類だけを入れて整理して、多くの人はビニール紐で結束して回収に出していた。
又、梱包袋にサイズの合わない回収古紙類は、梱包袋に入れないで直接ビニール紐で結束していた。
又、回収用ボックスと紐をセットしたものがあったが、これは、その回収用ボックスに紐を接着したものではなく、単にセットして回収古紙類の各々の大きさのサイズに合せてあるものではなかった。
【考案の開示】
【考案が解決しようとする課題】
【０００３】  そのために次のような問題点があった。
梱包袋には初めから紙紐が付いていないので、どうしても多くの人はビニール紐で結束して回収に出すので、回収した後に業者が人手をかけて、そのビニール紐を外してゴミとして処分するという手間を要した。
古新聞用の回収袋は、古新聞以外の大きさのサイズの回収古紙類には使用できなかった。
又、回収用ボックスに紐をセットしたものは、紐のセットを忘れたり、又、紐が無くなったするために、どうしてもビニール紐を使用した。又、回収古紙類の各々のサイズに合わないので、回収古紙類を整理して梱包することはできなかった。本考案は以上の問題点を解決するためになされたものである。
【課題を解決するための手段】
【０００４】  回収古紙類のサイズに合わせて梱包袋を複数サイズを作り、その梱包袋の底に紙紐を十字形状に接着して回収古紙類を紙紐で結束できるようにした紙紐を付けた梱包袋である。
【考案の効果】
【０００５】（イ）回収紙類の大きさのサイズに合わせて収納して整理できる。
（ロ）梱包袋には初めから紙紐が接着して付けてあるので、結束は必ず紙紐を使用し、ビニール紐は使わないので、回収紙類は回収した後に業者が紐を外さなくともそのまま処理できるので、大巾に人手間が省ける。
（ハ）回収後、紙紐を外さなくとも回収古紙類は処理できるので、書類等の場合は他人の目に触れないのでプライバシーが守れる。
（ニ）回収できる回収古紙類は、古紙、古新聞、チラシ、古本、書類等多くの種類のものが本考案の梱包袋で回収できるようになり、従来までゴミとして捨てていた古紙類の回収、整理が可能となり、ゴミの量が減り、資源古紙類が増える効果がある。
（ホ）紙紐は梱包袋の底に十字形状に接着して付けてあるので、その梱包袋は折りたたんむことができる。又、梱包袋自体は積重ねて整理ができる。
【考案を実施するための最良の形態】
【０００６】  以下本考案の実施の形態について説明する。
（イ）回収古紙類、例えば、古紙、古新聞、チラシ、古本、書類等の各々の大きさのサイズに合わせ、紙で作った梱包袋（１）を形成し、水に濡れても切れにくい丈夫な紙紐（２）を底（３）に十字形状に接着し設ける。
（ロ）紙紐（２）の両端は結束しやすいように投入口（４）より適当な長さを設けておく。
本考案は、以上の構成でこれを使用するときは、図４に示すように、折りたたんである梱包袋（１）を図１のように広げて投入口（４）より回収古紙類（５）を入れて整理し、いっぱいになったら、図３に示すように、紙紐（２）で適当な位置で結束する。
紙紐（２）は、接着しやすいように平たい帯状が適当である。又、紙紐（２）は目立ちやすいような色、例えば、緑や青、黄色などが適当である。
又、紙紐（２）は、梱包袋（１）の側面（６）にも接着しておいてもよい。
尚、異なった実施例として、図５に示すように、梱包袋（１）の底（３）に紙紐（２）を粘着紙テープ（７）で止めて付けたものである。
このようにすれば、紙紐（２）自体を接着しなくともよく、例えば、縄状の紙紐（２）でも梱包袋（１）に付けることができる。
又、紙紐（２）はビニール系以外の素材で麻縄や麻縄紐等にすると、紙類と同時に処理できるので、麻を素材とした紐や縄でも代用できる。
尚、梱包袋（１）を折りたたんだ時、紙紐（２）は適当に曲げて、その梱包袋（１）を積重ねできるようにしておけば、配送の時には何ら不都合はない。
【図面の簡単な説明】
【０００７】
【図１】  本考案の全体斜視図
【図２】  本考案の底面図
【図３】  本考案の使用状態を示し、回収古紙類を紙紐で結束した斜面図
【図４】  本考案の梱包袋を折りたたんだ状態の正面図
【図５】  本考案の異なった実施例を示す底面図
【符号の説明】
【０００８】１  梱包袋
２  紙紐
３  底
４  投入口
５  回収古紙類
６  側面
７  粘着紙テープ
【図１】
0003112184.tif 000003
【図２】
0003112184.tif 000004
【図３】
0003112184.tif 000005
【図４】
0003112184.tif 000006
【図５】
0003112184.tif 000007
(57)【要約】【課題】卓上カレンダーは会社名・住所・電話番号等の限られた情報しか掲載することができないが、二次元コードを掲載しそれを利用する事によりすることにより、より多くの情報を提供する事が可能になる。【解決手段】この考案は、毎日利用し、身近に置いてある卓上カレンダーに二次元コードを用紙に印刷又は貼付用シールに印刷してケースおよび台紙に貼り付ける。また、別用紙を追加し、そこに二次元コードの連合体を用紙に印刷することによって解決させる。【選択図】図１
0003112186.tif 000002
【実用新案登録請求の範囲】
【請求項１】
日付等を印刷したカレンダー用紙と用紙を収納するケースとから構成する卓上カレンダーにおいて、前記カレンダー用紙に二次元コードを印刷した二次元コード付卓上カレンダー。
【請求項２】
前記二次元コードを貼付用シールに印刷して、前記カレンダー用紙又はケースに貼付するようにした請求項１記載の二次元コード付卓上カレンダー。
【請求項３】
前記カレンダー用紙の裏面又は新しい用紙を追加し、その白地部分に前記二次元コードを数点印刷して作成した二次元コードの連合体を付加した請求項１記載の二次元コード付卓上カレンダー。
【考案の詳細な説明】
【技術分野】
【０００１】  二次元コードを付与した卓上カレンダーに関するものである。
【背景技術】
【０００２】  卓上カレンダーは日付等の印刷スペース以外には会社名・住所・電話番号等の限られた情報しか掲載することができない。
【考案の開示】
【考案が解決しようとする課題】
【０００３】  卓上カレンダーは会社名・住所・電話番号等の限られた情報しか掲載することができないが、二次元コードを掲載しそれを利用する事によりすることにより、より多くの情報を提供する事が可能になる。
【課題を解決するための手段】
【０００４】  この考案は、毎日利用し、身近に置いてある卓上カレンダーに二次元コードを用紙に印刷又は貼付用シールに印刷してケースや台紙に貼り付ける。また、別用紙を追加し、そこに二次元コードの連合体を用紙に印刷することによって解決させる。
【考案の効果】
【０００５】  卓上カレンダーは会社名・住所・電話番号等の限られた情報しか掲載することができないが、卓上カレンダーの印刷スペースに二次元コードを印刷（図１）又は二次元コードを貼付用シールに印刷してケースに貼り付ける（図２）ことにより、いつも身近に有り、無意識に存在を認知でき、容易に利用する事ができ、より多くの情報を提供する事が可能になる。【０００６】  通常は卓上カレンダーの名入れは、１ヶ月分の用紙に１社がほとんどだが、二次元コードにすると、数社の掲載が可能になる。（図３）また、カレンダー用紙の裏面又は新しい用紙を追加し、そこに二次元コードを掲載すればより多くの店舗・会社の案内がでる連合カレンダー（図４）が可能になり、商店街・店舗の集合施設等の広告経費削減に貢献する。【０００７】  この考案の効果は、毎日利用し、身近に置いてある卓上カレンダーで効果を発揮するが、吊り下げ式のカレンダーでは十分な効果の発揮は難しい。
【考案を実施するための最良の形態】
【０００８】  通常の卓上カレンダーに会社名・住所・電話番号等の限られた情報以外に、二次元コードをカレンダー用紙に印刷又は貼付用シールに印刷してケースや台紙に貼り付け、それを利用する事によりすることにより、製作者はより多くの情報を提供する事が可能になり、使用者もそれを容易に享受できる。
【実施例１】
【０００９】  卓上カレンダーのカレンダー用紙の名入れスペースに、二次元コードを印刷する。
【実施例２】
【００１０】  卓上カレンダーの名入れスペースがケースおよび台紙の場合は、二次元コードを貼付用シールに印刷して、ケースおよび台紙に貼り付ける。
【実施例３】
【００１１】  卓上カレンダーの名入れスペースに数店舗分の二次元コードを印刷又は貼付用シールに印刷してケースおよび台紙に貼り付けることにより、共同のカレンダーを製作でき、相乗効果を発揮することは言うに及ばず、１店舗当たりの予算削減できる。
【実施例４】
【００１２】  用紙を追加して、商店街・店舗の集合施設等の連合体を作り、商店街・店舗の集合施設のイベント等で配布し、地区全体のリピート顧客の集客を図り活性化を促進する。
【図面の簡単な説明】
【００１３】
【図１】二次元コードをカレンダー用紙に印刷した場合の実施例を示す正面図である。
【図２】二次元コードを貼付用シールに印刷してケースに貼り付けた場合の実施例を示す正面図である。
【図３】名入れスペースに二次元コードの連合体を用紙に印刷した場合の実施例を示す正面図である。
【図４】カレンダー用紙の裏面又は新しい用紙を追加して、商店街・店舗の集合施設等の連合体を作り、印刷した場合の実施例を示す正面図である。
【符号の説明】
【００１４】  １  卓上カレンダーケース
２  卓上カレンダー用紙
３  用紙に印刷した二次元コード
４  貼付用シールに印刷してケースに貼り付けた二次元コード
５  用紙を追加し製作した二次元コードの連合体
【図１】
0003112186.tif 000003
【図２】
0003112186.tif 000004
【図３】
0003112186.tif 000005
【図４】
0003112186.tif 000006
(57)【要約】【課題】  扇子は携帯しようとするときには鞄などの袋物の中に入れていたり、洋服を着用した際には、ただポケットに差し入れるだけの状態での携帯方法であったために、容易に携帯して使用することが困難な状況であったものを携帯し易くする。【課題を解決するための手段】  扇子の本体１にクリップ２を取り付けることによりベルトやスカート、鞄の取っ手などに取り付けることが出来るようにし、容易に携帯出来るようにした。【選択図】図１
0003112183.tif 000002
【実用新案登録請求の範囲】
【請求項１】
クリップを扇子に取り付けることにより扇子をベルトや洋服、鞄などに取り付けて携帯出来るようにしたクリップつき扇子。
【考案の詳細な説明】
【考案の詳細な説明】
【技術分野】
【００１】本発明はバックなどの袋物の中に入れたり、和服着用時には着物に挟んだり、また、洋服着用時での携帯が困難であった扇子にクリップを取り付けることによりベルトや洋服、鞄の取っ手などに取り付けることができるようにし、より使いやすく携帯できるようにしたものである。
【背景技術】
【００２】従来はクリップなどの付いた扇子は無かった。
【考案が解決しようとする課題】
【００３】扇子は携帯しようとするときには鞄などの袋物の中に入れたり鞄などがないときには、着物と帯の間に挟んだり、洋服着用時にはただポケットに差し入れるだけの状態での携帯方法であったために、携帯するのに不便を感じていた状況であった。
本考案はこの課題を解消するためになされたものである。
【課題を解決するための手段】
【００４】扇子の本体１にクリップ２を取り付けることによりベルトなどのものに取り付けることが出来るようにし、洋服着用時にも容易に携帯出来るようにした。
【考案の効果】
【００５】扇子にクリップを取り付けたためベルトやスカートなどにも取り付けることが出来、鞄などが無いときでも携帯が容易となり、また、使用時にも直ぐに取り出しができるようになる。
【図面の簡単な説明】
【図１】  扇子本体にクリップを取り付けた平面図である。
【図２】  扇子本体にクリップを取り付けた側面図である。
【符号の説明】
１  扇子本体
２  クリップ
【図１】
0003112183.tif 000003
【図２】
0003112183.tif 000004
(57)【要約】【課題】柔軟な氷層や強風に対して強固に固定できる氷上テント用ロープ固定具を提供する。【解決手段】氷上ワカサギ釣り等で使用するテントの氷上でのロープによる固定方法において、ロープ先端に中心部に側方から穴を開けたパイプまたは棒を穴を利用して取り付け、氷面に開けた氷の穴を通して裏側に固定し、テントを固定する氷上テント用ロープ固定具【選択図】  図１
0003112181.tif 000002
【実用新案登録請求の範囲】
【請求項１】
氷上ワカサギ釣り等で使用するテントの氷上でのロープによる固定方法において、ロープ先端に中心部に側方から穴を開けたパイプまたは棒を穴を利用して取り付け、氷面に開けた氷の穴を通して裏側に固定し、テントを固定する氷上テント用ロープ固定具
【請求項２】
請求項１の氷上テント用ロープ固定具において、パイプまたは棒の一端に取り外し用のロープを付加した氷上テント用ロープ固定具
【請求項３】
請求項１の氷上テント用ロープ固定具において、パイプまたは棒の一端に浮きを付加した氷上テント用ロープ固定具
【考案の詳細な説明】
【技術分野】
【０００１】  本考案は、テントを氷上にロープ固定するロープ固定具に関するものである。
【背景技術】
【０００２】  氷上ワカサギ釣り等で使用するテントの固定方法は、テントに付属しているループを使用しロープをペグで氷上に固定する方法がとられていた。
【考案の開示】
【考案が解決しようとする課題】
【０００３】  そのために、次のような問題点があった。
（イ）湖面等に張る氷は、氷の層と雪の層が交互に重なっている場合が多く、ペグを打ち込んでもすぐに抜けてしまう場合が多い。
（ロ）湖面等に張る氷は、降り積もった雪等で表層がゆるく下層が硬い場合が多く、ペグが固い層まで届かない場合がある。
（ハ）山上湖である場合が多く、強風が吹くことが多々あり、ペグでの固定方法では強度が足りずテント自体が強風で飛ばされてしまう場合があった。
本考案は、これらの問題点を解決するためになされたのもである。
【課題を解決するための手段】
【０００４】  従来ペグを打ち込んでいた位置の氷面に氷上ワカサギ釣りで通常使用するドリルで穴を開け、テントを固定するためのロープの先端に氷面に開けた穴の直径よりも長いパイプまたは棒を取り付け、氷の穴の中に通して氷層の裏側に固定することを特徴とする氷上テント用ロープ固定具。
【考案の効果】
【０００５】  氷の層の状態に関係なく、確実にテント固定用のロープを氷上の必要な位置に固定することができ、また強風に対しても十分な強度を確保することができる。
【考案を実施するための最良の形態】
【０００６】  以下、本考案の実施の形態について説明する。
本考案の氷上テント用ロープ固定具は、図１に示すように、テント固定用のロープ１にロープのテンションを調整する自在金具２を取り付け、中心部にロープ挿通用の穴を開けた氷面に開ける穴の直径よりも長いパイプまたは棒３をロープ先端に取り付けた請求項１に記載の氷上テント用ロープ固定具である。
図２はペグ６による従来の固定方法で、テント４に付属しているロープをつなぐために設けられているループ５にロープ１を通してペグ６で氷上に固定する方法である。
図３は本考案の実施例を示したもので、テント４に付属のループ５にロープ１を通して、氷７に開けた穴８の裏側にパイプまたは棒３を固定した構造である。パイプまたは棒を穴８の裏側に固定する方法は、氷上ワカサギ釣りで通常使用する氷すくいやスキーで使用するストック等をあらかじめ用意しておけば容易に行うことができる。
図４は、図１の氷上テント用ロープ固定具に取り外し用のはずしロープ９を付加した請求項２に記載の実施例である。パイプまたは棒３の一端にはずしロープ９を取り付け、ロープ１に結びつけた構造である。
図５は図４の使用方法を示したもので、撤収の際ロープ１を緩め、はずしロープ９を手１０で引っ張ることによって、簡単に取り外すことができる。
図６は、図１の氷上テント用ロープ固定具に取り外し用の浮き１１を付加した請求項３に記載の実施例である。パイプまたは棒３の一端に浮き１１を取り付け、撤収の際ロープ１を緩めることによって浮き１１の浮力でパイプまたは棒３が垂直に立ち上がり、簡単に取り外すことができる。
図７は本考案の氷上テント用ロープ固定具をドーム型の六角テント１２に使用した状態を上から見たもので、テントの六角形に対して均等な３箇所のループ５を使用し、３個の氷上テント用ロープ固定具を使用して氷面に開けた穴８に固定した図である。
図８は本考案の氷上テント用ロープ固定具を四角テント１３に使用した状態を上から見たもので、テントの四隅のループ５を使用し、４個の氷上テント用ロープ固定具を使用して氷面に開けた穴８に固定した図である。
【図面の簡単な説明】
【０００７】
【図１】本考案の斜視図
【図２】従来方法の側面図
【図３】本考案の側面図
【図４】本考案に機能を付加した斜視図
【図５】図４の使用方法を示した説明図
【図６】本考案に機能を付加した斜視図
【図７】本考案の実施例を示す上面図
【図８】本考案の他の実施例を示す上面図
【符号の説明】
【０００８】  １  ロープ
２  自在金具
３  パイプまたは棒
４  テント
５  ループ
６  ペグ
７  氷
８  穴
９  はずしロープ
１０  手
１１  浮き
１２  六角テント
１３  四角テント
【図１】
0003112181.tif 000003
【図２】
0003112181.tif 000004
【図３】
0003112181.tif 000005
【図４】
0003112181.tif 000006
【図５】
0003112181.tif 000007
【図６】
0003112181.tif 000008
【図７】
0003112181.tif 000009
【図８】
0003112181.tif 000010
(57)【要約】【課題】  本の載置する台座をファイルブック型の折りたたみ式にした書見台であり、書見物の装着如何に関らず書庫、本棚に収納できる。またペ−ジめくり補助具を付設して、一枚づつのめくり作業を確実に行える様にした。【解決手段】  無綴具のファイルブックを台座２とした。台座２を開けた状態の保持と書見物の受台として受板６、７を台座２右、左の表紙下端に前方直角に取付けた。受板６に軸着の巻線バネと直結した把手の先端部に掛止片を、また受板７に掛止孔を設けている。受板６の把手の掛止片が受板７の掛止孔に掛止して台座２の開きを保持する．ペ−ジめくり補助具８は取付台であるクリップに固定したバネ線とその突端部にゲル状の粘着材を充填した粗目容器で構成されている。バネ線を手で撓ませて突端部をめくりペ−ジの至端に軽く当て粘着させ、めくりペ−ジが持上がりた状態にして手でペ−ジをめくる。【選択図】  図１
0003112126.tif 000002
【実用新案登録請求の範囲】
【請求項１】
本の載置する台座をファイルブック型の折りたたみ式にした書見台。
【請求項２】
書見物の受台と台座の開き保持台を併用する受板を設けた請求項１に記載の書見台。
【請求項３】
粘着材の粘性的性質を利用したペ−ジめくり補助具を付設した請求項１に記載の書見台。
【考案の詳細な説明】
【技術分野】
【０００１】  本考案は持ち運び容易と小型、軽量化を図り、またペ−ジめくりの為の補助具を提供する書見台に関する。
【背景技術】
【０００２】  従来の書見台は卓上型もしくは可搬型であるが形状が大きく、かつ重量的にも持ち運びに不便なものである。またペ−ジめくり機構は機械的要素が大きく複雑なものがある。
【考案の開示】
【考案が解決しようとする課題】
【０００３】  以上に述べた従来の書見台は取扱い不便なでありかつ書見物を装着した状態での収納が出来なかった。またペ−ジめくり機構のめくり作動に確実性を欠いた。
【課題を解決するための手段】
【０００４】  台座２は無綴具のファイルブックとした。【０００５】  台座２の開き保持台および書見物の受台として先端部に掛止片を設けた巻線バネと直結した把手を軸着した受板６と掛止孔を設けた受板７を台座の右、左の表紙下端に前方直角に取付けた。【０００６】  ペ−ジめくり補助具８はクリップを取付台としたバネ線の突端部にゲル状の粘着材を充填した粗目容器で構成されている。
【本考案の効果】
【０００７】  折りたたみ式である為、台座２に書見物１を装着した状態で本棚、書庫などに収納できる。またペ−ジめくり補助具８の取付台がクリップである為取付個所を自由に選定できる。
【考案を実施するための最良の形態】
【０００８】  台座を開いた状態で受板６の把手先端部の掛止片を受板７の掛止孔に掛止して台座の開きを保持する。【０００９】  本の中ほどを開いて受板６、７に載せ固定棒３を本の中を通し固定具４で固定させる．【０００１０】  ペ−ジめくり補助具８のクリップをペ−ジをめくる方の台座の下端又は側端に挟みこむ。バネ線を手で撓ませて先端部をめくりペ−ジの至端に軽く当て粘着させる、バネ線の弾性でめくりペ−ジが持上がった状態にして手でペ−ジをめくる。【０００１１】  台座の折りたたみは受板６の把手先端部の掛止片を対向の受板７の掛止孔から外し自受板６に並べて収める。
【産業上の利用可能性】
【０００１２】
【０００１３】  本書見台は小型、軽量である為、書見スタンドを付加することにより座位、側臥位の書見姿勢が可能である。
【図面の簡単な説明】
【０００１４】
【図１】    書見物を装着した時の全体図
【図２】    台座の開き保持台の実施図
【図３】    ペ−ジめくり補助具の取付図
【図４】    書見台を折りたたんだ図
【符号の説明】
【０００１５】          １    書見物                  ６    受板
２    台座                    ７    受板
３    固定棒                  ８    ペ−ジめくり補助具
４    止め金具
５ａ  ペ−ジ押え具
５ｂ  レ−ル
【図１】
0003112126.tif 000003
【図２】
0003112126.tif 000004
【図３】
0003112126.tif 000005
【図４】
0003112126.tif 000006